(57)【要約】      （修正有）【課題】災害時や非常時にも使用可能なランプシェードを提供する。【解決手段】自立して鉛直上方に照射できない構造を有する携帯電灯を収容可能な有底無蓋の箱型のランプシェード下部１ｂ、ランプシェード下部の上端に一部が折り曲げ自在に接続された直方体型のランプシェード上部１ａ、及びランプシェード下部の上端とランプシェード上部の下端とを閉じることが可能なファスナー１ｃを有するランプシェード本体と、携帯電灯を照射方向が鉛直上方になるように把持する把持部と、を備える。【選択図】図１
0003205034.tif 000002
【実用新案登録請求の範囲】
【請求項１】
自立して鉛直上方に照射できない構造を有する携帯電灯を収容可能な有底無蓋の箱型のランプシェード下部、前記ランプシェード下部の上端に一部が折り曲げ自在に接続された直方体型のランプシェード上部、及び前記ランプシェード下部の上端と前記ランプシェード上部の下端とを閉じることが可能なファスナーを有するランプシェード本体と、
前記携帯電灯を照射方向が鉛直上方になるように把持する把持部と、
を備えたことを特徴とするランプシェード。
【請求項２】
前記把持部は、
有底無蓋の肉厚の箱型の袋であって、前記袋の外壁の底部と前記袋の内壁の底部との間が所定の距離となるように保持する保持部材を有し、前記袋の中に多数の球状のクッション材を充填したことを特徴とする請求項１記載のランプシェード。
【請求項３】
自立して鉛直上方に照射できる構造を有する携帯電灯を収容可能な有底無蓋の箱型のランプシェード下部、前記ランプシェード下部の上端に一部が折り曲げ自在に接続された直方体型のランプシェード上部、及び前記ランプシェード下部の上端と前記ランプシェード上部の下端とを閉じることが可能なファスナーを有することを特徴とするランプシェード。
【請求項４】
前記ランプシェード上部及び前記ランプシェード下部は、材質としてビニル、布、不織布、もしくは防水紙が用いられ、前記ランプシェード上部及び前記ランプシェード下部のうち少なくとも前記ランプシェード上部が蓄光材を有することを特徴とする請求項１または３記載のランプシェード。
【考案の詳細な説明】
【技術分野】
【０００１】
本考案は、ランプシェードに関する。
【背景技術】
【０００２】
従来、光源としてのランプを覆うランプシェードには種々のものが開発されている（例えば、特許文献１参照。）。
【先行技術文献】
【特許文献】
【０００３】
【特許文献１】特開２０１６−２１３８８号公報
【０００４】
特許文献１に記載の発明は、照明装置に関するものであり、具体的には、中空状のランプシェードと、発光体と、基台を備える照明装置において、ランプシェードは中空器体にて形成すると共に、多数の投光孔を周壁面外面に形成し、しかも、ランプシェードの外表面の所定位置には外表面を多面体にカットしたガラス粒子を配設し、ランプシェードの側方に配した投影面体に中空器体の周壁面から放射された所定模様の投光像を投影可能に構成したものである。
【考案の概要】
【考案が解決しようとする課題】
【０００５】
しかしながら、この種の照明装置用のランプシェードは周囲に光のオブジェを形成する開口部が形成されたものであり、光源の電源として商用電源を用いているため、災害時や非常時の照明には不向きであった。
【０００６】
本考案は、上記課題に鑑みてなされたもので、災害時や非常時にも使用可能なランプシェードの提供を目的とする。
【課題を解決するための手段】
【０００７】
かかる目的を達成するために、第１の考案は、自立して鉛直上方に照射できない構造を有する携帯電灯を収容可能な有底無蓋の箱型のランプシェード下部、前記ランプシェード下部の上端に一部が折り曲げ自在に接続された直方体型のランプシェード上部、及び前記ランプシェード下部の上端と前記ランプシェード上部の下端とを閉じることが可能なファスナーを有するランプシェード本体と、前記携帯電灯を照射方向が鉛直上方になるように把持する把持部と、を備えたことを特徴とする。
【０００８】
上記構成に加え、前記把持部は、有底無蓋の肉厚の箱型の袋であって、前記袋の外壁の底部と前記袋の内壁の底部との間が所定の距離となるように保持する保持部材を有し、前記袋の中に多数の球状のクッション材を充填してもよい。
【０００９】
第２の考案は、自立して鉛直上方に照射できる構造を有する携帯電灯を収容可能な有底無蓋の箱型のランプシェード下部、前記ランプシェード下部の上端に一部が折り曲げ自在に接続された直方体型のランプシェード上部、及び前記ランプシェード下部の上端と前記ランプシェード上部の下端とを閉じることが可能なファスナーを有することを特徴とする。
【００１０】
上記構成に加え、前記ランプシェード上部及び前記ランプシェード下部は、材質としてビニル、布、不織布、もしくは防水紙が用いられ、前記ランプシェード上部及び前記ランプシェード下部のうち少なくとも前記ランプシェード上部が蓄光材を有してもよい。
【考案の効果】
【００１１】
本考案によれば、災害時や非常時にも使用可能なランプシェードの提供が可能となる。
【図面の簡単な説明】
【００１２】
【図１】本考案にかかるランプシェードの正面図である。
【図２】図１に示したランプシェードの背面図である。
【図３】図２に示したランプシェードの部分拡大図である。
【図４】図１に示したランプシェード１の持ち手兼ベルト１ｆとランプシェード下部１ｂとの間に指を通した図である。
【図５】図１に示したランプシェード１の持ち手兼ベルト１ｆとランプシェード下部１ｂとの間に指を通した図である。
【図６】図１に示したランプシェード１のファスナー１ｃを開けた状態を示す図である。
【図７】図６のランプシェード下部１ｂ及びランプシェード上部１ａの接続部近傍の拡大図である。
【図８】図７に示したランプシェード下部１ｂから強力ライト３を把持部２ごと取り出す様子を示す図である。
【図９】図８に示した把持部２を置いた状態を示す図である。
【図１０】図９に示した把持部２から強力ライト３を取り出す様子を示す図である。
【図１１】図１０に示した把持部２から強力ライト３を取り外した後の状態を示す図である。
【図１２】（ａ）は、図１１に示した把持部２の外観斜視透視図であり、（ｂ）は、（ａ）の平面図である。
【図１３】（ａ）は、把持部２の外観図であり、（ｂ）は、（ａ）に示した把持部２内に収容される球状のクッション材２ｃである。
【図１４】（ａ）〜（ｃ）は、自立して鉛直上方に照射できない構造を有する携帯電灯の形状を示す外観斜視図である。
【図１５】図１に示したランプシェード１の使用状態を示す図である。
【図１６】比較例を示す図である。
【図１７】図９の変形例である。
【図１８】自立して鉛直上方に照射できる構造を有する携帯電灯がランタン型電灯の場合の外観図である。
【図１９】ランプシェード本体に把持部２を用いずに直接ランタン型電灯６を収納した状態を示す平面図である。
【考案を実施するための形態】
【００１３】
[実施形態１]
＜外観＞
図１は、本考案にかかるランプシェードの正面図であり、図２は、図１に示したランプシェードの背面図であり、図３は、図２に示したランプシェードの部分拡大図である。
ランプシェード１は、自立して鉛直上方に照射できない構造（もしくは不安定な構造）を有する携帯電灯を収容可能な箱形のランプシェード下部１ｂと、ランプシェード下部１ｂの上端に一部が折り曲げ自在に接続された直方体型のランプシェード上部１ａと、ランプシェード下部１ｂの上端とランプシェード上部１ａの下端とを閉じることが可能なファスナー１ｃとを有する。
これらランプシェード下部１ｂ、ランプシェード上部１ａ、及びファスナー１ｃで、自立可能なファスナー付きランプシェード本体が構成される。
【００１４】
ランプシェード本体内に、後述する把持部２としてのビーズクッションを収容した場合には、ランプシェード本体とビーズクッションとでランプシェードが構成される。
一方、ランプシェード本体にビーズクッションを収容せず、直接ランタン型電灯を収容する場合には、ランプシェード本体がランプシェードを構成することになる。
【００１５】
図２に示す別布１ｄは、箱形のランプシェード下部１ｂとランプシェード下部１ｂとの接続部を隠すための隠し部材である。１ｅは、ファスナー１ｃのスライダーである。ファスナー１ｃは錆びないプラスチック製が好ましい。
【００１６】
ランプシェード下部１ｂ及びランプシェード上部１ａの色は透明だと眩しいので、クリーム色とするのが好ましい。また、ランプシェード上部１ａ及びランプシェード下部１ｂの材質として、例えば、ビニル素材が用いられるが、布、不織布、もしくは防水紙が用いられてもよい。
【００１７】
ここで、ランプシェード本体の形状の単純さは、基本的には非常時を想定しているため、使用時に誤ってランプシェード本体と共に転倒して乗っかってしまっても怪我をしないように考慮したためである。また、ランプシェード本体の形状の単純さは、使用時に停電等で見えない状況下であっても手探りでセットでき、誰でも簡単に使用できる。
【００１８】
ランプシェード下部１ｂ及びランプシェード上部１ａのうち少なくともランプシェード上部１ａは蓄光材を有する。
【００１９】
図３に示すようにランプシェード下部１ｂの上側にはファスナー１ｃの上端近傍に帯状の持ち手兼ベルト１ｆが設けられている。持ち手兼ベルト１ｆは、ランプシェード下部１ｂの上端の外周に角部以外が縫い付けられている。
【００２０】
図４、５は、図１に示したランプシェード１の持ち手兼ベルト１ｆとランプシェード下部１ｂとの間に指を通した図である。
持ち手兼ベルト１ｆは、縫い付けられていない部分に指を通すことにより移動したり持ち運んだりしやすくなっている。
【００２１】
＜内部＞
図６は、図１に示したランプシェード１のファスナー１ｃを開けた状態を示す図である。
ランプシェード下部１ｂには、把持部２が収納されている。把持部２には携帯電灯としての強力ライト３が、照射方向が鉛直上方になるように把持されている。
【００２２】
図７は、図６のランプシェード下部１ｂ及びランプシェード上部１ａの接続部近傍の拡大図である。
ランプシェード下部１ｂには内面が反射面である有底無蓋の容器１ｈが示されているが、無くてもよい。接続部には補強用の別布１ｇが縫い付けられている。
【００２３】
図８は、図７に示したランプシェード下部１ｂから強力ライト３を把持部２ごと取り出す様子を示す図である。
強力ライト３は把持部２に埋め込まれた状態となっている。
【００２４】
図９は、図８に示した把持部２を置いた状態を示す図である。
図９に示すように強力ライト３が、照射方向が鉛直上方となるように把持部２によって把持されている。
【００２５】
図１０は、図９に示した把持部２から強力ライト３を取り出す様子を示す図である。
図１１は、図１０に示した把持部２から強力ライト３を取り外した後の状態を示す図である。
把持部２はほぼ立方体形状に形成され、上面に開口部２ａが形成されている。
【００２６】
図１２（ａ）は、図１１に示した把持部２の外観斜視透視図であり、図１２（ｂ）は、図１２（ａ）の平面図である。
把持部２は、有底無蓋の肉厚の箱型の袋であって、袋の外壁の底部と袋の内壁の底部との間が所定の距離となるように保持する保持部材２ｂを有し、袋の中に後述する多数の球状のクッション材を充填したものである。保持部材２ｂの形状は、ほぼＵ字形状に形成された部材であり、布で構成されている。保持部材２ｂの二つの腕部は把持部２の内側の底面２ｄに縫い付けられており、保持部材２ｂの基部は外側の底面２ｅに縫い付けられている。保持部材２ｂは、内部にクッション材が充填されたときに内側の底面２ｄが開口部２ａから飛び出すのを防ぐためのものである。
【００２７】
このように把持部２の内側の底面２ｄが浮かせるように縫い付けたり、Ｕ字形状の保持部材２ｂを用いたりするのは、後述するクッション材が流動するのを妨げないようにするためである。把持部２内をクッション材が流動することで、懐中電灯の形に素早くなじむようにフィットする。
尚、保持部材２ｂは、図ではほぼＵ字形状に形成されているが、本考案はこれに限定されるものではなく、正方形であっても長方形であってもよい。
【００２８】
図１３（ａ）は、把持部２の外観図であり、図１３（ｂ）は、図１３（ａ）に示した把持部２内に収容される球状のクッション材２ｃである。
図１４（ａ）〜（ｃ）は、自立して鉛直上方に照射できない構造を有する携帯電灯の形状を示す外観斜視図である。
クッション材２ｃの直径は数ｍｍ程度であり、材質としては例えばウレタン樹脂もしくはゴムが挙げられる。
把持部２は布製であり、内部にはクッション材２ｃが充填されているため、開口部２ａの形状が矩形であっても埋め込まれる携帯電灯としてのポケットライト４、懐中電灯５及び強力ライト３の形状に応じて変形し、かつ照射方向が鉛直上向きの倒立状態を保持することができる。
【００２９】
これら、ランプシェード本体（１ａ、１ｂ、１ｃ）と、把持部２とでランプシェード１が構成されている。
【００３０】
＜効果＞
図１５は、図１に示したランプシェード１の使用状態を示す図である。
例えば、ランプシェード１を室内中央の床上に配置し、ランプシェード１内に収納された把持部２内の強力ライト３を点灯した後、ファスナー１ｃを閉じると、強力ライト３から発した光がランプシェード上部１ａで拡散され、床、壁、障子、及び天井までほぼ均一に照射する。
【００３１】
ここで、ランプシェード本体内に携帯電灯を収納せずに、昼間ランプシェード本体を直射日光で蓄光させたり、室内照明で蓄光させたりして、夜間室内に配置した場合蓄光した光を放射する。また、携帯電灯を使用中に電池が切れた場合、室内が真っ暗にはならず、ほのかに室内が照らされる。
ランプシェード本体は蓄光性を有するので、災害時や非常時における停電等で有効である。
更に、日常使用する部屋に置いておくだけで光を蓄積するので、消灯と同時に発光するので、電気代や手間がかからず、フットライトとして機能する。
【００３２】
＜比較例＞
図１６は、比較例を示す図である。
図９に示した把持部２を室内中央の床上に配置し、携帯電灯３を点灯すると、光はほとんど天井に照射され、一部の反射光が障子の上側に照射する。
【００３３】
＜変形例＞
図１７は、図９の変形例であり、ポケットライト４、もしくは懐中電灯５を用いた場合である。このような場合であっても把持部２をランプシェード本体内に収納することで、図１５と同様の効果が得られる。
【００３４】
[実施形態２]
図１８は、自立して鉛直上方に照射できる構造を有する携帯電灯がランタン型電灯６の場合の外観図である。図１９は、ランプシェード本体に把持部２を用いずに直接ランタン型電灯６を収納した状態を示す平面図である。
このような場合であっても、図１５と同様の効果が得られる。
【００３５】
以上より、本実施形態によれば、商用電源を用いることが無く、携帯電灯を光源とすることで室内を均一に照明できるので、災害時や非常時にも使用可能となる。
【００３６】
＜まとめ＞
メインの使用方法としては、一方向の懐中電灯の灯りを、ランプシェードを使用することにより、部屋全体を照明することである。
サブの使用方法としては、懐中電灯の消灯後、蓄光材による発光で灯りをもたらすことができることである。
メインとサブ、懐中電灯と蓄光を効率よく組み合わせることで電池の消費を抑えることができる。
スーパーサブとして、懐中電灯無しで室内照明や太陽光の蓄光だけで使用可能である。
【００３７】
なお、上記実施形態は、本考案における好適な具体例であり、技術的に好ましい種々の限定を付している場合もあるが、本考案の技術範囲は、特に本考案を限定する記載がない限り、これらの態様に限定されるものではない。また、上記実施形態における構成要素は、適宜、既存の構成要素等との置き換えが可能であり、かつ、他の既存の構成要素との組合せを含む様々なバリエーションが可能である。したがって、上記実施形態の記載をもって、実用新案登録請求の範囲に記載された考案の内容を限定するものではない。
【符号の説明】
【００３８】
１    ランプシェード
１ａ    ランプシェード上部
１ｂ    ランプシェード下部
１ｃ    ファスナー
１ｄ    隠し部材
１ｅ    スライダー
１ｆ    持ち手兼ベルト
１ｇ    別布
１ｈ    容器
２    把持部
２ａ    開口部
２ｂ    保持部材
２ｃ    クッション材
２ｄ    内側の底面
２ｅ    外側の底面
３    強力ライト
４    ポケットライト
５    懐中電灯
６    ランタン型電灯
【図１】
0003205034.tif 000003
【図２】
0003205034.tif 000004
【図３】
0003205034.tif 000005
【図４】
0003205034.tif 000006
【図５】
0003205034.tif 000007
【図６】
0003205034.tif 000008
【図７】
0003205034.tif 000009
【図８】
0003205034.tif 000010
【図９】
0003205034.tif 000011
【図１０】
0003205034.tif 000012
【図１１】
0003205034.tif 000013
【図１２】
0003205034.tif 000014
【図１３】
0003205034.tif 000015
【図１４】
0003205034.tif 000016
【図１５】
0003205034.tif 000017
【図１６】
0003205034.tif 000018
【図１７】
0003205034.tif 000019
【図１８】
0003205034.tif 000020
【図１９】
0003205034.tif 000021